【手続補正書】
【提出日】平成25年12月17日(2013.12.17)
【手続補正１】
【補正対象書類名】明細書
【補正対象項目名】発明の名称
【補正方法】変更
【補正の内容】
【発明の名称】シャッタ装置及びカメラ
【手続補正２】
【補正対象書類名】明細書
【補正対象項目名】０００１
【補正方法】変更
【補正の内容】
【０００１】
本発明は、デジタルカメラ等の撮像装置に搭載されるシャッタ装置及び該シャッタ装置を有するカメラに関し、特に、アマチャを磁気的に吸着するヨークを備えるシャッタ装置及び該シャッタ装置を有するカメラに関する。
【手続補正３】
【補正対象書類名】明細書
【補正対象項目名】００１２
【補正方法】変更
【補正の内容】
【００１２】
そこで、本発明は、新たな部材を追加することなく、アマチャとヨークとの吸着面への異物の付着を防止することができるシャッタ装置及び該シャッタ装置を有するカメラを提供することを目的とする。
【手続補正４】
【補正対象書類名】明細書
【補正対象項目名】００１３
【補正方法】変更
【補正の内容】
【００１３】
上記目的を達成するために、本発明のシャッタ装置は、カメラ本体に取り付けられるシャッタ装置であって、開口部が形成される地板と、前記開口部を閉じる位置と前記開口部を開く位置間で移動するシャッタ羽根と、前記地板に対して回動することで、前記開口部を閉じる方向に前記シャッタ羽根を駆動する駆動レバーであって、アマチャを有する駆動レバーと、前記駆動レバーを付勢する駆動ばねと、前記アマチャを磁気的に吸着保持するヨークと、を備え、前記アマチャと前記ヨークとの吸着保持を解除して、前記駆動ばねの付勢力により前記駆動レバーを回動させ、このとき、前記シャッタ羽根は、前記開口部を閉じる方向に駆動され、前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、前記アマチャの前記ヨークとの吸着保持が解除された際、前記駆動レバーは、前記駆動ばねの付勢力により前記カメラ本体の底面側から前記カメラ本体の上面側に向けて回動することを特徴とする。
【手続補正５】
【補正対象書類名】特許請求の範囲
【補正対象項目名】全文
【補正方法】変更
【補正の内容】
【特許請求の範囲】
【請求項１】
カメラ本体に取り付けられるシャッタ装置であって、
開口部が形成される地板と、
前記開口部を閉じる位置と前記開口部を開く位置間で移動するシャッタ羽根と、
前記地板に対して回動することで、前記開口部を閉じる方向に前記シャッタ羽根を駆動する駆動レバーであって、アマチャを有する駆動レバーと、
前記駆動レバーを付勢する駆動ばねと、
前記アマチャを磁気的に吸着保持するヨークと、を備え、
前記アマチャと前記ヨークとの吸着保持を解除して、前記駆動ばねの付勢力により前記駆動レバーを回動させ、このとき、前記シャッタ羽根は、前記開口部を閉じる方向に駆動され、
前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、
前記アマチャの前記ヨークとの吸着保持が解除された際、前記駆動レバーは、前記駆動ばねの付勢力により前記カメラ本体の底面側から前記カメラ本体の上面側に向けて回動する
ことを特徴とするシャッタ装置。
【請求項２】
前記アマチャと前記ヨークとの吸着面を露出させる清掃用開口部が形成されていることを特徴とする請求項１記載のシャッタ装置。
【請求項３】
レンズを取り外し可能に搭載するレンズマウント部を有するカメラ本体部材と、
シャッタ装置と、を備え、
前記シャッタ装置は、
開口部が形成される地板と、
前記開口部を閉じる位置と前記開口部を開く位置間で移動するシャッタ羽根と、
前記地板に対して回動することで、前記開口部を閉じる方向に前記シャッタ羽根を駆動する駆動レバーであって、アマチャを有する駆動レバーと、
前記駆動レバーを付勢する駆動ばねと、
前記アマチャを磁気的に吸着保持するヨークと、を備え、
前記シャッタ装置は、前記アマチャと前記ヨークとの吸着保持を解除して、前記駆動ばねの付勢力により前記駆動レバーを回動させ、このとき、前記シャッタ羽根は、前記開口部を閉じる方向に駆動され、
前記シャッタ装置は、前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、
前記アマチャの前記ヨークとの吸着保持が解除された際、前記駆動レバーは、前記駆動ばねの付勢力により前記カメラ本体の底面側から前記カメラ本体の上面側に向けて回動し、
前記シャッタ装置には、前記アマチャと前記ヨークとの吸着面を露出させる清掃用開口部が形成され、
前記カメラ本体部材には、受け板部が形成され、
前記シャッタ装置が前記カメラ本体部材に取り付けられることで、前記受け板部が前記吸着面開口部を覆う
ことを特徴とするカメラ。
【請求項４】
前記カメラ本体部材は、ミラーを回動可能に支持するミラーボックスであることを特徴とする請求項３記載のカメラ。
【請求項５】
カメラ本体に取り付けられるシャッタ装置であって、
開口部が形成される地板と、
前記開口部を閉じる位置と前記開口部を開く位置間で移動するシャッタ羽根と、
前記地板に対して回動することで、前記シャッタ羽根を前記開口部を閉じる位置と前記開口部を開く位置間で移動させる羽根レバーと、
前記羽根レバーを付勢する復帰ばねと
前記地板に対して回動することで、前記シャッタ羽根が前記開口部を閉じる方向に、前記羽根レバーを駆動する駆動レバーであって、アマチャを有する駆動レバーと、
前記駆動レバーを付勢する駆動ばねと、
前記アマチャを磁気的に吸着保持するヨークと、を有し、
前記アマチャと前記ヨークとの吸着保持を解除して、前記駆動ばねの付勢力により前記駆動レバーおよび前記羽根レバーを回動させ、このとき、前記シャッタ羽根は、前記開口部を閉じる方向に駆動され、
前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、
前記アマチャと前記ヨークとの吸着保持が解除された際、前記駆動レバーは、前記駆動ばねの付勢力により前記カメラ本体の底面側から前記カメラ本体の上面側に向けて回動する
ことを特徴とするシャッタ装置。
【請求項６】
前記アマチャと前記ヨークとの吸着面を露出させる吸着面開口部が形成されていることを特徴とする請求項５記載のシャッタ装置。
【請求項７】
レンズを取り外し可能に搭載するレンズマウント部を有するカメラ本体部材と、
シャッタ装置と、を備え、
前記シャッタ装置は、
開口部が形成される地板と、
前記開口部を閉じる位置と前記開口部を開く位置間で移動するシャッタ羽根と、
前記地板に対して回動することで、前記シャッタ羽根を前記開口部を閉じる位置と前記開口部を開く位置間で移動させる羽根レバーと、
前記羽根レバーを付勢する復帰ばねと、
前記地板に対して回動することで、前記シャッタ羽根が前記開口部を閉じる方向に、前記羽根レバーを駆動する駆動レバーであって、アマチャを有する駆動レバーと、
前記駆動レバーを付勢する駆動ばねと、
前記アマチャを磁気的に吸着保持するヨークと、を備え、
前記シャッタ装置は、前記アマチャと前記ヨークとの吸着保持を解除して、前記駆動ばねの付勢力により前記駆動レバーおよび前記羽根レバーを回動させる。前記シャッタ羽根は、前記開口部を閉じる方向に駆動され、
前記シャッタ装置は、前記カメラ本体に組み込まれた状態で、前記アマチャの前記ヨークとの吸着面が前記カメラ本体の底面に対して垂直な方向となり、かつ前記駆動レバーの回動軸よりも前記カメラ本体の底面側に配置され、
前記アマチャと前記ヨークとの吸着保持が解除された際、前記駆動レバーは、前記駆動ばねの付勢力により前記カメラ本体の底面側から前記カメラ本体の上面側に向けて回動し、
前記シャッタ装置には、前記アマチャと前記ヨークとの吸着面を露出させる吸着面開口部が形成され、
前記カメラ本体部材には、受け板部が形成され、
前記シャッタ装置が前記カメラ本体部材に取り付けられることで、前記受け板部が前記吸着面開口部を覆う
ことを特徴とするカメラ。
【請求項８】
前記カメラ本体部材は、ミラーを回動可能に支持するミラーボックスであることを特徴とする請求項７記載のカメラ。